(57)【要約】【課題】  従来より可動部分の動作による演出の趣向性が高い遊技機を提供することを目的とする。【解決手段】  本発明のパチンコ遊技機１０によれば、駆動回転部材６０に設けられて駆動回転支軸７２を中心に一体回転可能な駆動歯車６０Ａ，６０Ｂ，６０Ｃ，６０Ｄが、従動回転支軸７３を中心に別々に回転可能な従動回転部材６１，６２，６３，６４の各従動歯車６１Ｇ，６２Ｇ，６３Ｇ，６４Ｇと噛合している。そして、駆動歯車６０Ａ，６０Ｂ，６０Ｃ，６０Ｄの径が異なっているので、モータ５９にて駆動回転部材６０を回転すると、それに伴って従動回転部材６１，６２，６３，６４が互いに異なる回転速度で回転する。これにより、従動回転部材６１，６２，６３，６４全体の形状が連続的に変化していくという趣向性の高い演出を行うことができる。【選択図】  図１１
2012024234.tif 000002
【特許請求の範囲】
【請求項１】
ベース部材に対して第１回転軸を中心に回転可能な駆動回転部材と、
１つの前記駆動回転部材に対して複数設けられ、第２回転軸を中心に前記ベース部材に対して別々に回転可能に支持された複数の従動回転部材と、
前記複数の従動回転部材に対応させて前記駆動回転部材に複数設けられ、径が大きい順又は小さい順に前記第１回転軸の軸方向に並べられて前記駆動回転部材と一体回転する複数の駆動歯車と、
各前記従動回転部材と一体回転可能に設けられ、各前記従動回転部材に対応した各前記駆動歯車に噛合した複数の従動歯車と、
遊技の進行状況に応じて前記駆動回転部材を回転駆動する駆動手段とを備え、
１つの前記駆動手段で前記複数の従動回転部材を異なる回転速度で回転するように連動させて遊技の演出を行うことを特徴とする遊技機。
【請求項２】
前記複数の従動回転部材及び前記ベース部材に形成されて、前記複数の従動回転部材を前記ベース部材に対して原点位置に配置したときに、前記第１回転軸と平行な従動側ピン挿入軸に沿って同軸上に並び、位置合わせ用の従動側位置決ピンを共通して挿入可能な複数の従動側位置決孔を備えたことを特徴とする請求項１に記載の遊技機。
【請求項３】
前記複数の従動回転部材においてそれぞれ隣り合った前記従動回転部材同士の間で相対移動可能な範囲を規制する相対移動規制ストッパ機構を設け、前記相対移動規制ストッパ機構が許容する相対移動可能な範囲内で各前記従動回転部材を回転させるように前記駆動手段を制御する駆動制御手段を備えたことを特徴とする請求項１又は２に記載の遊技機。
【請求項４】
前記相対移動規制ストッパ機構は、隣り合った前記従動回転部材のうち互いに重なり合った部分の一方に形成された扇状のストッパ受容孔と、他方から形成されて前記ストッパ受容孔に受容されたストッパ突部とからなることを特徴とする請求項３に記載の遊技機。
【請求項５】
隣り合った前記従動回転部材同士が前記第２回転軸の軸方向で重なり合う重複面積が、前記駆動回転部材が回動可能範囲の一端位置から他端位置に回動するに従って徐々に小さくなるように構成したことを特徴とする請求項１乃至４の何れか１の請求項に記載の遊技機。
【請求項６】
前記複数の従動回転部材で扇子機構を構成し、閉じた状態の前記扇子機構が前記駆動回転部材が回動可能範囲の一端位置から他端位置に回動するに従って徐々に開かれるように構成したことを特徴とする請求項１乃至５の何れか１の請求項に記載の遊技機。
【請求項７】
前記ベース部に略四角形の演出表示窓を形成し、その演出表示窓を通して視認可能な表示画面を有した表示器を設けると共に、前記扇子機構を対にしてそれら扇子機構の要部分を前記演出表示窓における１対の対角部分に配置し、
１対の前記扇子機構が閉じたときには、それら各扇子機構を構成する前記従動回転部材群が前記演出表示窓の１対の側辺部分に沿って延びた状態となり、１対の前記扇子機構が共に開かれると、それら扇子機構における各端部の前記従動回転部材の側縁部同士が接合されるように構成したことを特徴とする請求項６に記載の遊技機。
【請求項８】
前記１対の扇子機構の間で接合される１対の前記従動回転部材に半円孔を形成し、それら１対の従動回転部材が接合されると、前記半円孔同士が合体して円形孔になるように構成したことを特徴とする請求項７に記載の遊技機。
【請求項９】
前記１対の扇子機構の間で互いに接合される１対の前記従動回転部材の側縁部にマグネットを設け、前記マグネットの磁力により１対の前記従動回転部材の側縁部同士が引き付けられるようにしたことを特徴とする請求項７又は８に記載の遊技機。
【請求項１０】
遊技者が視認可能な表示画面に演出画像を表示可能な表示器を備え、
前記従動回転部材の可動領域を、前記表示画面の前方に重ねて配置したことを特徴とする請求項１乃至９の何れか１の請求項に記載の遊技機。
【請求項１１】
前記第２回転軸を中心に有した固定支柱を前記ベース部材から突出させる一方、その固定支柱が回転可能に挿通された回転軸孔を前記複数の従動回転部材にそれぞれ形成したことを特徴とする請求項１乃至１０の何れかに記載の遊技機。
【請求項１２】
前記固定支柱を筒形構造としかつその周方向の一部に開口した側面貫通孔を設けると共に、前記従動回転部材に電気部品を備え、その電気部品に通電するための配線を、前記側面貫通孔から前記固定支柱の内部に配して、前記ベース部材に組み付けられている電気回路に接続したことを特徴とする請求項１１に記載の遊技機。
【請求項１３】
前記駆動回転部材は、前記ベース部材から前記固定支柱と同じ方向に突出して軸方向の一端部を前記ベース部材に支持されると共に、前記複数の駆動歯車は前記ベース部材側の一端部から他端部に向かって径が小さくなる順に並べられたことを特徴とする請求項１１又は１２に記載の遊技機。
【請求項１４】
前記複数の従動回転部材に、前記第２回転軸の軸方向に重ねて配置する順番を付したことを特徴とする請求項１乃至１３の何れか１の請求項に記載の遊技機。
【請求項１５】
ベース部材に対して第１回転軸を中心に回転可能な駆動回転部材と、
１つの前記駆動回転部材に対して複数設けられ、前記第１回転軸の軸方向に重ねて配置されて前記第１回転軸と直交する所定方向で別々に直動可能な複数の従動直動部材と、
前記複数の従動直動部材に対応させて前記駆動回転部材に複数設けられ、前記第１回転軸を中心とした同心円状又は同心円弧状に配置されかつ径が大きい順に前記第１回転軸の軸方向に並べられて前記駆動回転部材と一体回転する複数の駆動歯車と、
各前記従動直動部材に設けられ、各前記従動直動部材に対応した各前記駆動歯車に噛合した複数の従動ラックと、
遊技の進行状況に応じて前記駆動回転部材を回転駆動する駆動手段とを備え、
１つの前記駆動手段で前記複数の従動直動部材を異なる速度で直動するように連動させて遊技の演出を行うことを特徴とする遊技機。
【請求項１６】
前記複数の従動直動部材及び前記ベース部材に形成されて、前記複数の従動直動部材を前記ベース部材に対して原点位置に配置したときに、前記第１回転軸と平行な従動側ピン挿入軸に沿って同軸上に並び、位置合わせ用の従動側位置決ピンを共通して挿入可能な複数の従動側位置決孔を備えたことを特徴とする請求項１５に記載の遊技機。
【請求項１７】
前記複数の駆動歯車の少なくとも１つは円弧状をなし、
前記複数の駆動回転部材及び前記ベース部材に形成されて、前記駆動回転部材を前記ベース部材に対して原点位置に配置したときに、前記第１回転軸と平行な駆動側ピン挿入軸に沿って同軸上に並び、位置合わせ用の駆動側位置決ピンを共通して挿入可能な複数の駆動側位置決孔を備えたことを特徴とする請求項２又は１６に記載の遊技機。
【請求項１８】
前記駆動手段はモータであり、そのモータによって回転駆動されるウォームギヤと、前記駆動回転部材と一体に回転する又は連動して回転し、前記ウォームギヤが噛合したウォームホイールとを備えたことを特徴とする請求項１乃至１７の何れか１の請求項に記載の遊技機。
【発明の詳細な説明】
【技術分野】
【０００１】
本発明は、複数の従動部材を１つの駆動手段で駆動して遊技の演出を行う遊技機に関する。
【背景技術】
【０００２】
従来、この種の遊技機として、例えば、第１〜第５の従動部材を同一の回転支軸に重ねて組み付け、扇子機構としたものが知られている。この扇子機構では、最も手前に位置した第１の従動部材のみがモータの出力軸にギヤ連結され、第２〜第４の従動部材には、手前隣の従動部材に係止可能な係止突部が備えられている。そして、通常は、モータによって第１の従動部材が回転支持軸から水平横方向に延びた水平姿勢に保持されかつ、第２〜第５の各従動部材が係止突部をそれぞれ手前隣の従動部材に係止させることで、全ての従動部材が重なり合って回転支持軸から水平横方向に延びた折畳状態になっている。この折畳状態からモータの駆動により第１の従動部材を下方に向けて回動すると、その回動角が所定角の倍数に達する度に、第５の従動部材、第４の従動部材、・・・と順次取り残されるように停止して、第１〜第５の従動部材が所定角ずつずれた展開状態になる。また、モータの駆動により第１の従動部材を上方に向けて回動すると、その回動角が所定角の倍数に達する度に、第２の従動部材、第３の従動部材、・・・と順次第１の従動部材と重なってから第１の従動部材と一体に回動して、折畳状態に戻る（例えば、特許文献１参照）。
【先行技術文献】
【特許文献】
【０００３】
【特許文献１】特開２００６−３０４９５３号公報（請求項１，４、図７〜１３，１８）
【発明の概要】
【発明が解決しようとする課題】
【０００４】
しかしながら、上記した従来の遊技機では、複数の従動部材の回転速度は同一であり、複数の従動部材の間で単に回動の開始又は停止のタイミングがずらされるだけであるので、段階的な動作の演出しか行うことができなかった。即ち、従来の遊技機では、複数の従動部材が異なる速度で移動して連続的に可動部分の形状が変化していくような趣向性の高い演出を行うことができなかった。
【０００５】
本発明は、上記事情に鑑みてなされたもので、従来より可動部分の動作による演出の趣向性が高い遊技機を提供することを目的とする。
【課題を解決するための手段】
【０００６】
上記目的を達成するためになされた請求項１の発明に係る遊技機は、ベース部材に対して第１回転軸を中心に回転可能な駆動回転部材と、１つの駆動回転部材に対して複数設けられ、第２回転軸を中心にベース部材に対して別々に回転可能に支持された複数の従動回転部材と、複数の従動回転部材に対応させて駆動回転部材に複数設けられ、径が大きい順又は小さい順に第１回転軸の軸方向に並べられて駆動回転部材と一体回転する複数の駆動歯車と、各従動回転部材と一体回転可能に設けられ、各従動回転部材に対応した各駆動歯車に噛合した複数の従動歯車と、遊技の進行状況に応じて駆動回転部材を回転駆動する駆動手段とを備え、１つの駆動手段で複数の従動回転部材を異なる回転速度で回転するように連動させて遊技の演出を行うところに特徴を有する。
【０００７】
請求項２の発明は、請求項１に記載の遊技機において、複数の従動回転部材及びベース部材に形成されて、複数の従動回転部材をベース部材に対して原点位置に配置したときに、第１回転軸と平行な従動側ピン挿入軸に沿って同軸上に並び、位置合わせ用の従動側位置決ピンを共通して挿入可能な複数の従動側位置決孔を備えたところに特徴を有する。
【０００８】
請求項３の発明は、請求項１又は２に記載の遊技機において、複数の従動回転部材においてそれぞれ隣り合った従動回転部材同士の間で相対移動可能な範囲を規制する相対移動規制ストッパ機構を設け、相対移動規制ストッパ機構が許容する相対移動可能な範囲内で各従動回転部材を回転させるように駆動手段を制御する駆動制御手段を備えたところに特徴を有する。
【０００９】
請求項４の発明は、請求項３に記載の遊技機において、相対移動規制ストッパ機構は、隣り合った従動回転部材のうち互いに重なり合った部分の一方に形成された扇状のストッパ受容孔と、他方から形成されてストッパ受容孔に受容されたストッパ突部とからなるところに特徴を有する。
【００１０】
請求項５の発明は、請求項１乃至４の何れか１の請求項に記載の遊技機において、隣り合った従動回転部材同士が第２回転軸の軸方向で重なり合う重複面積が、駆動回転部材が回動可能範囲の一端位置から他端位置に回動するに従って徐々に小さくなるように構成したところに特徴を有する。
【００１１】
請求項６の発明は、請求項１乃至５の何れか１の請求項に記載の遊技機において、複数の従動回転部材で扇子機構を構成し、閉じた状態の扇子機構が駆動回転部材が回動可能範囲の一端位置から他端位置に回動するに従って徐々に開かれるように構成したところに特徴を有する。
【００１２】
請求項７の発明は、請求項６に記載の遊技機において、ベース部に略四角形の演出表示窓を形成し、その演出表示窓を通して視認可能な表示画面を有した表示器を設けると共に、扇子機構を対にしてそれら扇子機構の要部分を演出表示窓における１対の対角部分に配置し、１対の扇子機構が閉じたときには、それら各扇子機構を構成する従動回転部材群が演出表示窓の１対の側辺部分に沿って延びた状態となり、１対の扇子機構が共に開かれると、それら扇子機構における各端部の従動回転部材の側縁部同士が接合されるように構成したところに特徴を有する。
【００１３】
請求項８の発明は、請求項７に記載の遊技機において、１対の扇子機構の間で接合される１対の従動回転部材に半円孔を形成し、それら１対の従動回転部材が接合されると、半円孔同士が合体して円形孔になるように構成したところに特徴を有する。
【００１４】
請求項９の発明は、請求項７又は８に記載の遊技機において、１対の扇子機構の間で互いに接合される１対の従動回転部材の側縁部にマグネットを設け、マグネットの磁力により１対の従動回転部材の側縁部同士が引き付けられるようにしたところに特徴を有する。
【００１５】
請求項１０の発明は、請求項１乃至９の何れか１の請求項に記載の遊技機において、遊技者が視認可能な表示画面に演出画像を表示可能な表示器を備え、従動回転部材の可動領域を、表示画面の前方に重ねて配置したところに特徴を有する。
【００１６】
請求項１１の発明は、請求項１乃至１０の何れかに記載の遊技機において、第２回転軸を中心に有した固定支柱をベース部材から突出させる一方、その固定支柱が回転可能に挿通された回転軸孔を複数の従動回転部材にそれぞれ形成したところに特徴を有する。
【００１７】
請求項１２の発明は、請求項１１に記載の遊技機において、固定支柱を筒形構造としかつその周方向の一部に開口した側面貫通孔を設けると共に、従動回転部材に電気部品を備え、その電気部品に通電するための配線を、側面貫通孔から固定支柱の内部に配して、ベース部材に組み付けられている電気回路に接続したところに特徴を有する。
【００１８】
請求項１３の発明は、請求項１１又は１２に記載の遊技機において、駆動回転部材は、ベース部材から固定支柱と同じ方向に突出して軸方向の一端部をベース部材に支持されると共に、複数の駆動歯車はベース部材側の一端部から他端部に向かって径が小さくなる順に並べられたところに特徴を有する。
【００１９】
請求項１４の発明は、請求項１乃至１３の何れか１の請求項に記載の遊技機において、複数の従動回転部材に、第２回転軸の軸方向に重ねて配置する順番を付したところに特徴を有する。
【００２０】
請求項１５の発明に係る遊技機は、ベース部材に対して第１回転軸を中心に回転可能な駆動回転部材と、１つの駆動回転部材に対して複数設けられ、第１回転軸の軸方向に重ねて配置されて第１回転軸と直交する所定方向で別々に直動可能な複数の従動直動部材と、複数の従動直動部材に対応させて駆動回転部材に複数設けられ、第１回転軸を中心とした同心円状又は同心円弧状に配置されかつ径が大きい順に第１回転軸の軸方向に並べられて駆動回転部材と一体回転する複数の駆動歯車と、各従動直動部材に設けられ、各従動直動部材に対応した各駆動歯車に噛合した複数の従動ラックと、遊技の進行状況に応じて駆動回転部材を回転駆動する駆動手段とを備え、１つの駆動手段で複数の従動直動部材を異なる速度で直動するように連動させて遊技の演出を行うところに特徴を有する。
【００２１】
請求項１６の発明は、請求項１５に記載の遊技機において、複数の従動直動部材及びベース部材に形成されて、複数の従動直動部材をベース部材に対して原点位置に配置したときに、第１回転軸と平行な従動側ピン挿入軸に沿って同軸上に並び、位置合わせ用の従動側位置決ピンを共通して挿入可能な複数の従動側位置決孔を備えたところに特徴を有する。
【００２２】
請求項１７の発明は、請求項２又は１６に記載の遊技機において、複数の駆動歯車の少なくとも１つは円弧状をなし、複数の駆動回転部材及びベース部材に形成されて、駆動回転部材をベース部材に対して原点位置に配置したときに、第１回転軸と平行な駆動側ピン挿入軸に沿って同軸上に並び、位置合わせ用の駆動側位置決ピンを共通して挿入可能な複数の駆動側位置決孔を備えたところに特徴を有する。ここで、円弧状の駆動歯車とは、３６０度歯車が形成された円状の駆動歯車に対し、一部の円弧上に歯車が形成されたものを指す。
【００２３】
請求項１８の発明は、請求項１乃至１７の何れか１の請求項に記載の遊技機において、駆動手段はモータであり、そのモータによって回転駆動されるウォームギヤと、駆動回転部材と一体に回転する又は連動して回転し、ウォームギヤが噛合したウォームホイールとを備えたところに特徴を有する。
【発明の効果】
【００２４】
［請求項１の発明］
請求項１の構成によれば、駆動回転部材に設けられて第１回転軸を中心に一体回転可能な複数の駆動歯車が、第２回転軸を中心に別々に回転可能な複数の従動回転部材の各従動歯車と噛合している。そして、複数の駆動歯車の径が異なっているので、駆動手段にて駆動回転部材を回転すると、それに伴って複数の従動回転部材が互いに異なる回転速度で回転する。これにより、複数の従動回転部材全体の形状が連続的に変化していくという趣向性の高い演出を行うことができる。また、本発明の構成によれば、複数の従動回転部材を駆動するための駆動手段は１つでよいのでコストも抑えられる。
【００２５】
［請求項２の発明］
請求項２の構成によれば、複数の従動回転部材とベース部材のそれぞれに形成された従動側位置決孔の全てに従動側位置決ピンを挿入することで、複数の従動回転部材をベース部材に対する原点位置に位置合わせすることができる。即ち、従動側位置決ピンの挿入操作のみで、複数の従動回転部材を設計通りの相対位置に位置決めした状態に容易に組み付けることができる。
【００２６】
なお、ベース部材の従動側位置決孔に従動側位置決ピンを挿入して起立させておき、その起立した従動側位置決ピンが従動回動部材の従動側位置決孔に挿入されるように複数の従動回動部材を順次組み付けていくことで組み付け作業の効率が上がる。
【００２７】
［請求項３の発明］
請求項３の構成によれば、隣り合った従動回転部材同士の間で相対移動可能な範囲を規制する相対移動規制ストッパ機構を設けたので、万が一、何れかの駆動歯車と従動歯車との噛合が外れても従動回転部材同士の間が通常時に比べて大きく分裂することが防がれる。
【００２８】
［請求項４の発明］
請求項４の構成のように、相対移動規制ストッパ機構を、隣り合った従動回転部材の重なり合った部分に形成した扇状のストッパ受容孔とストッパ突部とから構成することで、目立ないようにすることができる。
【００２９】
［請求項５及び６の発明］
請求項５の構成によれば、駆動回転部材が回動可能範囲の一端位置から他端位置に回動するに従って従動回転部材同士の重なり合う重複面積が徐々に小さくなる。これにより、折り畳まれた機構物が徐々に展開されていく動作の演出を行うことができる。具体的には、請求項６の構成のように、閉じた状態の扇子機構が駆動回転部材が回動可能範囲の一端位置から他端位置に回動するに従って徐々に開かれる動作の演出を行うことができる。
【００３０】
［請求項７の発明］
請求項７の構成では、扇子機構が対になり、それら扇子機構の要部分が演出表示窓における１対の対角部分に配置されている。これら１対の扇子機構が閉じたときには、それら各扇子機構を構成する従動回転部材群が演出表示窓の１対の側辺部分に沿って延びた状態となるので、演出表示窓を通して表示画面を視認することができ、扇子機構が開くと表示画面の少なくとも一部が隠される。このとき、本発明では、１対の扇子機構が開かれると、それぞれの扇子機構における端部の従動回転部材の側縁部同士が接合されるという斬新な動作の演出を行うことができる。
【００３１】
［請求項８の発明］
請求項８の構成によれば、１対の扇子機構が開かれて１対の従動回転部材の側縁部同士が接合されたときに、それら互いに接合される各従動回転部材の半円孔同士が合体して円形孔になり、その円形孔を通して表示画面を見ることができるという斬新な演出を行うことができる。
【００３２】
［請求項９の発明］
請求項９の構成によれば、１対の扇子機構の間で互いに接合される１対の従動回転部材の側縁部に設けたマグネットにより、１対の従動回転部材の側縁部同士が引き付けられ、接合状態が安定する。
【００３３】
［請求項１０の発明］
請求項１０の構成によれば、表示画面に表示される演出画像と従動回転部材の動作とを融合させた演出を行うことができる。
【００３４】
［請求項１１の発明］
請求項１１の構成によれば、ベース部材から突出した固定支柱に従動回転部材を１つずつ組み付けることができ、組み付け作業の簡素化が図られる。
【００３５】
［請求項１２の発明］
請求項１２の構成では、従動回転部材に電気部品に通電するための配線を、筒形構造の固定支柱の周方向の側面貫通孔から固定支柱の内部に配して、ベース部材に組み付けられている電気回路に接続したので、配線が従動回転部材の周辺部品に引っ掛かることが防止される。
【００３６】
［請求項１３の発明］
請求項１３の構成によれば、駆動回転部材をベース部材に組み付けた状態で、従動回転部材を１つずつ固定支柱に組み付けて、駆動歯車と従動歯車とを１組ずつ噛合させていくことができる。
【００３７】
［請求項１４の発明］
請求項１４の構成によれば、複数の従動回転部材に第２回転軸の軸方向に重ねて配置する順番を付したので、従動回転部材の組み付け配置の確認作業が容易になる。
【００３８】
［請求項１５の発明］
請求項１５の構成によれば、駆動回転部材に設けられて第１回転軸を中心に一体回転可能な複数の駆動歯車が、第１回転軸の軸方向に重ねて配置されて第１回転軸と直交する所定方向で別々に直動可能な複数の従動直動部材の各従動ラックと噛合している。そして、複数の駆動歯車の径が異なっているので、駆動手段にて駆動回転部材を回転すると、それに伴って複数の従動直動部材が互いに異なる速度で直動する。これにより、複数の従動直動部材全体の形状が連続的に変化していくという趣向性の高い演出を行うことができる。また、本発明の構成によれば、複数の従動直動部材を駆動するための駆動手段は１つでよいのでコストも抑えられる。
【００３９】
［請求項１６の発明］
請求項１６の構成によれば、複数の従動直動部材とベース部材のそれぞれに形成された従動側位置決孔の全てに従動側位置決ピンを挿入することで、複数の従動直動部材をベース部材に対する原点位置に位置合わせすることができる。即ち、従動側位置決ピンの挿入操作のみで、複数の従動直動部材を設計通りの相対位置に位置決めした状態に容易に組み付けることができる。
【００４０】
［請求項１７の発明］
請求項１７の構成によれば、複数の駆動歯車の少なくとも１つを円弧状としたことで、複数の駆動歯車の全てを円状にした場合より安価に製造することができる。また、駆動歯車が円弧状であっても、駆動回転部材と、複数の従動回転部材又は複数の従動直動部材とを共に原点位置に配置して組み付けることで、駆動歯車を従動歯車又は従動ラックと容易に噛合させることができる。
【００４１】
［請求項１８の発明］
請求項１８の構成では、駆動手段であるモータの出力をウォームギヤとウォームホイールで減速して駆動回転部材に付与するので、小さなモータで複数の従動回転部材又は複数の従動直動部材とを駆動することができる。
【図面の簡単な説明】
【００４２】
【図１】本発明の一実施形態に係るパチンコ遊技機の正面図
【図２】表示機構枠の斜視図
【図３】扇子機構役物が閉じた状態における表示機構枠の正面図
【図４】扇子機構役物が開いた状態における表示機構枠の正面図
【図５】閉じた状態の扇子機構役物の斜視図
【図６】開いた状態の扇子機構役物の斜視図
【図７】扇子機構役物の分解斜視図
【図８】扇子機構役物の構成部品の斜視図
【図９】扇子機構役物の構成部品の背面斜視図
【図１０】扇子機構役物の構成部品の拡大斜視図
【図１１】扇子機構役物の組み付け概念図
【図１２】従動回転部材の分解斜視図
【図１３】変形例における従動直動部材と駆動回転部材の斜視図
【図１４】（Ａ）閉じた状態の従動直動部材と駆動回転部材の平面図（Ｂ）開いた状態の従動直動部材と駆動回転部材の平面図
【発明を実施するための形態】
【００４３】
以下、本発明を適用したパチンコ遊技機１０に係る一実施形態を、図１〜図１２に基づいて説明する。なお、下記の説明において「右側」とは、パチンコ遊技機１０に前方から対峙した状態で向かって右側（丁度、図１の右側）を指し、「左側」とは、パチンコ遊技機１０に前方から対峙した状態で向かって左側を指すものとする。
【００４４】
図１に示した本実施形態のパチンコ遊技機１０は、前面枠１０Ｚの後面に遊技板１１を重ねて備えている。前面枠１０Ｚには略円形のガラス窓１０Ｗが設けられると共に、そのガラス窓１０Ｗに対応した略円形状の遊技領域Ｒ１が遊技板１１の前面に設けられ、ガラス窓１０Ｗを通して遊技領域Ｒ１が視認可能となっている。
【００４５】
ガラス窓１０Ｗの縁部には、枠飾りランプ３３が備えられている。また、前面枠１０Ｚのうちガラス窓１０Ｗより上側の両角位置には、それぞれスピーカ２５Ｓ，２５Ｓが設けられている。一方、前面枠１０Ｚのうちガラス窓１０Ｗより下方には、上皿２７Ａ及び下皿２７Ｂが上下２段にして設けられている。そして、ガラス窓１０Ｗの下側縁部に備えた第１の遊技球排出ボタン２９Ａを押すことで、上皿２７Ａ内の遊技球を下皿２７Ｂに移すことができる。また、下皿２７Ｂの右側には、第２の遊技球排出ボタン２９Ｂが備えられ、これを押すことで下皿２７Ｂに収容されている遊技球が下方に排出される。さらに、第２の遊技球排出ボタン２９Ｂの右側には、球貸し状態表示モニター２７Ｄ及び球貸し操作ボタン２７Ｅが設けられ、下皿２７Ｂの左側には、操作ジョグ２７Ｊが備えられている。
【００４６】
前面枠１０Ｚのうち右下角部には、操作ノブ２８が設けられ、その操作ノブ２８の回動操作により上皿２７Ａ内の遊技球が遊技領域Ｒ１内へと、順次、発射されて遊技領域Ｒ１内を流下する。より具体的には、遊技領域Ｒ１は、全体をガイドレール１２で囲まれ、そのガイドレール１２には、向かって左上端寄り位置に球進入口１２Ｋが形成されている。そして、操作ノブ２８の回動操作により、球進入口１２Ｋから遊技領域Ｒ１の中央上端部に向けてガイドレール１２の内面に沿って遊技球が順次打ち込まれて、遊技領域Ｒ１を流下する。また、操作ノブ２８の回動量によって遊技球の発射強度を調整することができる。
【００４７】
遊技領域Ｒ１のほぼ中央には本発明に係る「表示器」に相当するメイン表示器３５が備えられている。メイン表示器３５は、例えば、液晶表示器（ＴＦＴ−ＬＣＤモジュール）であって、その表示画面３６が遊技板１１に固定された表示枠体４０（所謂「センター役物」）で取り囲まれている。表示画面３６は、表示枠体４０の前面より奥側に配置されており、遊技者は、表示枠体４０を通して表示画面３６の演出表示を視認可能となっている。
【００４８】
遊技領域Ｒ１のうちメイン表示器３５の下方における左右方向の中央には、始動入賞口１４Ａ，１４Ｂ、第１大入賞口１５及びアウト口１６が、上から順に間隔を開けて並べて設けられている。始動入賞口１４Ａ，１４Ｂの右側方には、第２大入賞口１７が設けられ、始動入賞口１４Ａ，１４Ｂの左側方には、一般入賞口２０，２１，２２が設けられている。また、遊技領域Ｒ１のうち、メイン表示器３５の左側方には始動ゲート１８と風車１９とが備えられている。さらに、遊技領域Ｒ１の遊技球が流下可能な部分全体に亘って複数の障害釘が設けられている。
【００４９】
遊技領域Ｒ１に備えた役物についてさらに詳説する。なお、以下の説明において「入賞」と「入球」は同じ意味である。一般入賞口２０，２１，２２は、所謂、ポケット構造をなし、遊技球が１つずつ入ることが可能な大きさで上方に開口している。一般入賞口２０，２１，２２へ入賞すると、その遊技球は遊技板１１の裏側に取り込まれ、代わりに所定数の賞球が上皿２７Ａに払い出される。
【００５０】
始動ゲート１８は、遊技球が潜って通過可能な門形構造をなし、通過した遊技球は、その始動ゲート１８に内蔵したゲートスイッチ（図示せず）によって検出される。遊技球が通過すると、普通図柄当否判定が行われ、表示画面３６の一角に設けられた普通図柄表示部１８Ｈにおいて図柄が変動表示される。具体的には、「０」〜「９」までの数字からなる数字図柄が所定期間に亘って変動表示された後、所定の数字図柄が停止表示される。普通図柄表示部１８Ｈが変動表示の最中に始動ゲート１８を遊技球が通過した場合、その通過球は最大で４個まで保留記憶される。そして、普通図柄表示部１８Ｈの変動表示が終了すると、その保留記憶に基づいて再び普通図柄表示部１８Ｈが変動表示される。
【００５１】
上下の各始動入賞口１４Ａ，１４Ｂは、所謂、ポケット構造をなして上方に向かって開口している。各始動入賞口１４Ａ，１４Ｂに入った遊技球は、遊技板１１に設けた図示しない貫通孔を通って、遊技板１１の裏側に回収される。
【００５２】
上側に配置された始動入賞口１４Ａの上面開口は遊技球を１つずつ受け入れる大きさになっている。一方、下側に配置された始動入賞口１４Ｂは、始動入賞口１４Ａの真下に配置されており、その上面開口の左右両側には可動翼１４Ｃ，１４Ｃが備えられている。これら両可動翼１４Ｃ，１４Ｃは、常には起立状態になっており、両可動翼１４Ｃ，１４Ｃに挟まれた始動入賞口１４Ｂの開口幅も、遊技球を１つずつ受け入れる大きさになっている。そして、下側の始動入賞口１４Ｂの上方空間は、常には、上側の始動入賞口１４Ａを構成する部材と起立状態の可動翼１４Ｃ，１４Ｃとで囲まれて、遊技球が入らないようになっている。
【００５３】
これに対し、上述した普通図柄当否判定の結果、普通図柄表示部１８Ｈで停止表示された数字図柄が奇数になると、下側の始動入賞口１４Ｂが開放状態となる。即ち、遊技板１１の裏に設けたソレノイド（図示せず）により、下側の始動入賞口１４Ｂに備えた可動翼１４Ｃ，１４Ｃが所定期間（例えば、０．５秒間）に亘って左右に倒される。可動翼１４Ｃ，１４Ｃが左右に倒れると、その倒れた可動翼１４Ｃ，１４Ｃに案内されて遊技球が始動入賞口１４Ｂに入賞可能となる。
【００５４】
上下の始動入賞口１４Ａ，１４Ｂの何れかに遊技球が入賞すると、各始動入賞口１４Ａ，１４Ｂ内に設けたセンサがその遊技球を検出し、その検出信号に基づいて、所定数の賞球が上皿２７Ａに払い出される。また、各始動入賞口１４Ａ，１４Ｂに遊技球が入賞すると、「大当たり遊技」を行うか否かを決定する当否判定の権利が発生し、パチンコ遊技機１０に備えたＣＰＵ（図示せず）が当否判定用のプログラムを実行し、その当否判定結果がメイン表示器３５によって遊技者に報知される。
【００５５】
具体的には、メイン表示器３５の表示画面３６には、通常、３つの左、中、右の特別図柄（図示せず）が横並びに表示されている。これら各特別図柄は、例えば、「０」〜「９」の数字を表記した複数種類のもので構成されており、通常は、各特別図柄ごと、所定の種類のものが停止表示されている。そして、両始動入賞口１４Ａ，１４Ｂの何れかに遊技球が入賞したときに、これら３つの特別図柄が、変動表示（上下方向にスクロール表示）され、所定時間後に、例えば、左、中、右の順で各特別図柄が停止表示される。このとき、例えば、全ての特別図柄が同じ図柄、即ち、ゾロ目になった場合に、遊技が「通常遊技」から「大当たり遊技」に移行する。
【００５６】
ここで、メイン表示器３５にて特別図柄が変動表示している最中又は「大当たり遊技」の最中に各始動入賞口１４Ａ，１４Ｂに入賞した遊技球の数は、所定の保留限度数（４個）まで保留記憶され、特別図柄が外れの図柄組み合わせで停止表示又は「大当たり遊技」が終了すると、その保留記憶に基づいて再び、特別図柄の変動表示が開始される。
【００５７】
第１大入賞口１５及び第２大入賞口１７は、同じ構造で遊技板１１の前面に開放して横長形状をなしており、常には、それぞれ可動扉１５Ｔ，１７Ｔにて閉塞されている。そして、上記したように特別図柄がゾロ目で停止表示した場合に、例えば、偶数のゾロ目であれば可動扉１５Ｔが前側に倒れて第１大入賞口１５が開放し、奇数のゾロ目であれば可動扉１７Ｔが前側に倒れて第２大入賞口１７が開放し、可動扉１５Ｔ又は１７Ｔをガイドにして第１大入賞口１５又は第２大入賞口１７の何れかに遊技球が入賞可能になる。
【００５８】
ここで、可動扉１５Ｔ又は１７Ｔが開放してから閉じるまでの間を「ラウンド」と称すると、１つのラウンドは、可動扉１５Ｔ又は１７Ｔの開放時間が３０秒に達したか、又は、第１大入賞口１５又は第２大入賞口１７に遊技球が１０個入賞したか、の何れかの終了条件が先に満たされた場合に終了する。また、「大当たり遊技」は、最大で、例えば１５ラウンドまで継続される。
【００５９】
第１大入賞口１５及び第２大入賞口１７の内部には、図示しないが継続入賞口と計数入賞口とが設けられている。可動扉１５Ｔ，１７Ｔが開いたときには、継続入賞口は開放しており、継続入賞口に入賞すると継続入賞口が閉鎖される一方、計数入賞口は開放されたままとなる。継続入賞口内に設けた特定領域センサ（図示せず）が遊技球の入賞を検出すると、前述した終了条件を満たしてラウンドが終了した後で、連続して次のラウンドが実行される。また、計数入賞口内に設けたカウントセンサ（図示せず）が遊技球の入賞を検出すると、継続入賞口への入賞球と合わせて、第１大入賞口１５及び第２大入賞口１７への入賞球がカウントされ、これらが前記したように計１０個に達したか否かがチェックされる。なお、第１大入賞口１５又は第２大入賞口１７に遊技球が入賞すると、他の入賞口１４Ａ，１４Ｂ，２０，２１，２２への入賞時より多い所定数の遊技球が、上皿２７Ａに払い出される。
【００６０】
次に、表示枠体４０について詳説する。遊技板１１の遊技領域Ｒ１には、表示枠体４０を取り付けるための図示しない遊技板表示窓が貫通形成されている。表示枠体４０は、遊技板１１の前面における遊技板表示窓の開口縁にビス止めされた表示装飾枠４１（図１参照）と、遊技板１１の後面における遊技板表示窓の開口縁にビス止めされた表示機構枠５０（図２参照）とからなる。
【００６１】
表示装飾枠４１は、遊技板表示窓の内部に嵌合された嵌合部４１Ａの前端から側方に前端壁部４１Ｂを張り出してなり、遊技板１１における遊技板表示窓の開口縁を覆って装飾すると共に、遊技板表示窓の内面も覆って装飾している。
【００６２】
表示機構枠５０は、本発明に係る「ベース部材」に相当し、図２に示すように、全体が前後方向に偏平で前面が開放した箱形をなし、後面に演出表示窓５３を備えている。また、表示機構枠５０の側壁５２には、その前端部の所定複数箇所からビス止め板５２Ａが直角曲げされた状態に形成され、それらビス止め板５２Ａが遊技板１１の後面に重ねられてビス止めされている。
【００６３】
演出表示窓５３は、横長矩形状をなし、表示機構枠５０の後端壁５１における上端寄り位置に配置されている。より具体的には、表示機構枠５０は、下側部分が段付き状に若干幅狭になっていて、演出表示窓５３は、表示機構枠５０の上側幅広部分において、上下方向と左右方向の両方向の中央に配置されている。そして、後端壁５１の後面にメイン表示器３５が重ねられた状態に固定されて、そのメイン表示器３５の表示画面３６が演出表示窓５３を通して表示機構枠５０の前方に臨んでいる。
【００６４】
表示機構枠５０の下側幅狭部分における左右方向の両端部には、入球ダクト５５，５５が備えられている。そして、第２大入賞口１７に入賞した遊技球が一方の入球ダクト５５を通ってパチンコ遊技機１０の下方に案内され、一般入賞口２０，２１，２２に入賞した遊技球が他方の入球ダクト５５を通ってパチンコ遊技機１０の下方に案内されるようになっている。
【００６５】
表示機構枠５０の下側幅狭部分における左右方向の中央部と左側部分は前方に膨出している。そして、その膨出部分と演出表示窓５３の下辺部との間に、下辺回転役物５４が収容されている。下辺回転役物５４は、図２に示すように、表示機構枠５０の後端壁５１に固定された箱体５４Ｂの前面に、蓮の花形状の電飾回転体５４Ａを回転可能に備えている。また、箱体５４Ｂ内には電飾回転体５４Ａを回転駆動するための図示しないモータが備えられ、電飾回転体５４Ａには図示しないＬＥＤが内蔵されている。そして、遊技の進行状況に応じて電飾回転体５４Ａが発光した状態で回転駆動される。
【００６６】
表示機構枠５０のうち演出表示窓５３の上辺部と表示機構枠５０の上端部に位置した側壁５２との間には、上辺回動役物５６が収容されている。上辺回動役物５６は、表示装飾枠４１の後面に回動可能に取り付けられた装飾レバー５６Ａを有し、その装飾レバー５６Ａの回動中心は、後端壁５１のうち演出表示窓５３の右上角部に配置されている。そして、装飾レバー５６Ａは、通常、図２に示すように、回動中心から水平横方向に延びた水平姿勢になって表示装飾枠４１の上辺部後方に退避して隠れ、所定の契機によって下方に回転駆動されて図１に示すように傾斜姿勢になる。また、装飾レバー５６Ａの長手方向の中間部には、１対の分岐回動レバー５６Ｂ，５６Ｂが回動可能に取り付けられている。分岐回動レバー５６Ｂ，５６Ｂは、回動中心から装飾レバー５６Ａの先端側に延び、装飾レバー５６Ａが水平姿勢になっているときには、それら分岐回動レバー５６Ｂ，５６Ｂが図示しないレバーガイド部材との当接により装飾レバー５６Ａと前後方向で重なった状態になっている。そして、装飾レバー５６Ａが傾斜姿勢になると、分岐回動レバー５６Ｂ，５６Ｂがレバーガイド部材から離間して、分岐回動レバー５６Ｂ，５６Ｂが開脚する。
【００６７】
表示機構枠５０のうち演出表示窓５３の両側辺部と表示機構枠５０の両側端部に位置した側壁５２との間には、１対の扇子機構役物５７，５７が収容されている。１対の扇子機構役物５７，５７は、本発明に係る「扇子機構」に相当し、細部の形状の相違を除き、全体の機構が同じユニット構造をなして、表示機構枠５０にビス止めされている。また、図５及び図６には、右側の扇子機構役物５７のユニット全体が示され、図７〜１２には、右側の扇子機構役物５７の構成部品が示されている。
【００６８】
以下、右側の扇子機構役物５７を、適宜、単に扇子機構役物５７と呼ぶこととして、その右側の扇子機構役物５７の構成について説明する。図７に示すように、扇子機構役物５７は、固定ケース５８に本発明に係る「駆動手段」に相当するモータ５９（例えば、ステッピングモータ）と、本発明に係る駆動回転部材６０、第１〜第４の従動回転部材６１，６２，６３，６４、ウォームギヤ６５及びウォームホイール６６とを組み付けて備えている。
【００６９】
図７に示すように、固定ケース５８は、表示機構枠５０の後端壁５１の前面に重ねた状態でビス止めされる板状の支持ベース６９と、その支持ベース６９の前面を覆った状態に固定されるカバーベース６８とからなる。
【００７０】
図３に示すように、支持ベース６９は、一端側が演出表示窓５３の角部から下方に延び、他端側が演出表示窓５３の角部から側方に延びた形状をなしている。支持ベース６９の下端部に位置した外側縁からは、図７に示すように、モータ支持壁６９Ａが前方に突出している。これに対し、モータ５９は、モータステータ５９Ｓの端面に減速機５９Ｇを一体に備え、その減速機５９Ｇの端面がモータ支持壁６９Ａに押し付けられた状態で固定されている。また、減速機５９Ｇの出力軸には、ウォームギヤ６５が一体回転可能に備えられ、そのウォームギヤ６５が、図３に示すように、支持ベース６９の下端部前方で水平横方向に延びている。
【００７１】
支持ベース６９のうちウォームギヤ６５の上方位置からは前方に向かって中継回転支軸７１が突出し、さらに中継回転支軸７１の上方位置からは前方に向かって駆動回転支軸７２（本発明に係る「第１回転軸」に相当する）が突出し、さらには、駆動回転支軸７２の斜め上方位置からは駆動回転支軸７２と平行な従動回転支軸７３（本発明に係る「第２回転軸」に相当する）が前方に向かって突出している。また、従動回転支軸７３が演出表示窓５３の右下角部の近傍に配置されている。より具体的には、従動回転支軸７３の中心が演出表示窓５３の対角線の延長線上に配置されている。
【００７２】
中継回転支軸７１は、支持ベース６９に形成された図示しない有底孔に挿入された金属シャフトで構成され、その中継回転支軸７１には、ウォームホイール６６が回転可能に軸支されている。そして、ウォームホイール６６にウォームギヤ６５が噛合している。また、ウォームホイール６６のうち前方を向いた端面には、中継歯車６７が一体回転可能に備えられている（図１０参照）。
【００７３】
図１０に示すように、駆動回転支軸７２は、支持ベース６９から突出した支持パイプ７２Ｐに金属シャフト７２Ｓを挿通させてなる。また、支持パイプ７２Ｐは、中継歯車６７の後面側で閉塞され、そこに金属シャフト７２Ｓが突き当てられている。その駆動回転支軸７２には、樹脂で構成された駆動回転部材６０が回転可能に軸支されている。図９及び図１０に示すように、駆動回転部材６０は一端有底の筒体構造をなし、その筒体の端部壁６０Ｅ（図１０参照）における内面からは支持パイプ６０Ｐ（図９参照）が突出している。そして、駆動回転部材６０の開放端を中継歯車６７に対向させた状態で、支持パイプ６０Ｐが駆動回転支軸７２の外側に挿通されかつ、支持パイプ６０Ｐの端面と支持パイプ７２Ｐの端面とを当接させた状態に組み付けられている。
【００７４】
図１０に示すように、駆動回転部材６０の外側には、その開放端側から閉塞端に向かって、本発明に係る第１〜第４の駆動歯車６０Ａ，６０Ｂ，６０Ｃ，６０Ｄが順番に設けられている。第１〜第４の駆動歯車６０Ａ，６０Ｂ，６０Ｃ，６０Ｄは、共に駆動回転部材６０の回転中心を中心とした平歯車であって、第１〜第４の駆動歯車６０Ａ，６０Ｂ，６０Ｃ，６０Ｄの順番で徐々に径が小さくなっている。また、第１駆動歯車６０Ａのみが駆動回転部材６０の全周に亘って形成され、第２〜第４の駆動歯車６０Ｂ，６０Ｃ，６０Ｄは、駆動回転部材６０の回転中心に対して所定角の範囲（例えば、１３５度の範囲）にのみ形成されている。これにより、第１〜第４の駆動歯車６０Ａ，６０Ｂ，６０Ｃ，６０Ｄの全てを円状にした場合と比べて、駆動回転部材６０の金型を安価に製造することができる。
【００７５】
具体的には、第１駆動歯車６０Ａは、駆動回転部材６０から張り出した円板の先端に複数の歯を備えた構造をなし、前記したウォームホイール６６の中継歯車６７に噛合している。また、駆動回転部材６０のうち第１駆動歯車６０Ａを除いた部分には、駆動回転部材６０の周方向の所定範囲に第１駆動歯車６０Ａから離れるに従って段付き状に径が小さくなった階段構造部６０Ｋが形成されている。そして、その階段構造部６０Ｋで最も第１駆動歯車６０Ａ側に位置した円弧状側面に複数の歯を形成して第２駆動歯車６０Ｂが構成され、その次に第１駆動歯車６０Ａ側に位置した円弧状側面に複数の歯を形成して第３駆動歯車６０Ｃが構成され、最も第１駆動歯車６０Ａから離れた側に位置した円弧状側面に複数の歯を形成して第４駆動歯車６０Ｄが構成されている。
【００７６】
また、駆動回転部材６０のうち第２〜第４の駆動歯車６０Ｂ，６０Ｃ，６０Ｄが形成されていない部分は、図１０に示すように、軸方向が略均一径に円筒壁６０Ｆになっていてその円筒壁６０Ｆにおける周方向の中央には、駆動位置決ピン受容部６０Ｇが形成されている。駆動位置決ピン受容部６０Ｇは、駆動回転部材６０の中心軸と平行に延びたパイプ状をなし（図９参照）、そのパイプを縦割りにした半分が円筒壁６０Ｆの外面から膨出して（図１０参照）、残りの半分が円筒壁６０Ｆの内面から膨出した状態に形成されている。また、図９に示すように、駆動位置決ピン受容部６０Ｇの一端部は、駆動回転部材６０の中心側平坦部と一体になり、駆動回転部材６０の内面において駆動位置決ピン受容部６０Ｇの一端部が開放している。これに対し、支持ベース６９には、ベース第１位置決孔６９Ｖが貫通形成されていて、駆動回転部材６０が原点位置としての所定の回転位置に配置されると駆動位置決ピン受容部６０Ｇとベース第１位置決孔６９Ｖとが同軸上に並ぶ。これにより、図１１に示した駆動側位置決ピンＰ１を、駆動位置決ピン受容部６０Ｇ及びベース第１位置決孔６９Ｖに挿通することで、駆動回転部材６０が原点位置に位置決めされる。なお、駆動位置決ピン受容部６０Ｇ及びベース第１位置決孔６９Ｖが、本発明に係る「駆動側位置決孔」に相当する。
【００７７】
従動回転支軸７３は、支持ベース６９から突出した円筒状をなしている。また、図１０に示すように、従動回転支軸７３には、その周方向の一部を基端部から先端寄り位置まで切除して電線挿通孔７３Ａ（本発明に係る「側面貫通孔」に相当する）が形成されている。そして、この従動回転支軸７３に、第１〜第４の従動回転部材６１，６２，６３，６４が回転可能に軸支されている。第１〜第４の従動回転部材６１，６２，６３，６４は、図８に示すように、何れも扇形状をなしかつ、それらの要部分にリング部８０（本発明に係る「回転軸孔」に相当する）を備え、それらリング部８０が従動回転支軸７３の外側に挿入されている。また、第１〜第４の従動回転部材６１，６２，６３，６４の扇形状の本体部（以下、「扇形本体部６１Ｈ，６２Ｈ，６３Ｈ，６４Ｈ」という）における両側辺間の角度は、全て同じ所定角（略３〜１０度）になっている。また、各扇形本体部６１Ｈ，６２Ｈ，６３Ｈ，６４Ｈの一方の側辺はリング部８０の外周面の接線上に配置される一方、他方の側辺はリング部８０の中心点から延びた線上に配置されて、その他方の側辺からリング部８０が側方に張り出している。
【００７８】
そして、図８に示すように、第１従動回転部材６１におけるリング部８０の張り出し部分に第１従動歯車６１Ｇが形成され、第２従動回転部材６２におけるリング部８０の張り出し部分に第２従動歯車６２Ｇが形成され、第３従動回転部材６３におけるリング部８０の張り出し部分に第３従動歯車６３Ｇが形成され、第４従動回転部材６４におけるリング部８０の張り出し部分に第４従動歯車６４Ｇが形成されている。これら第１〜第４の従動歯車６１Ｇ，６２Ｇ，６３Ｇ，６４Ｇは、共にリング部８０の中心に対して所定角の範囲にのみ配置されている。
【００７９】
第１〜第４の従動回転部材６１，６２，６３，６４の各リング部８０には、扇形本体部６１Ｈ，６２Ｈ，６３Ｈ，６４Ｈの反対側に従動位置決ピン受容部８０Ｇが貫通形成されている。そして、図１１に示すように、第１〜第４の従動回転部材６１，６２，６３，６４の扇形本体部６１Ｈ，６２Ｈ，６３Ｈ，６４Ｈを完全に重ね合わせた状態で、第１〜第４の従動回転部材６１，６２，６３，６４の複数の従動位置決ピン受容部８０Ｇが同軸上に並ぶようになっている。また、従動位置決ピン受容部８０Ｇに対し、支持ベース６９には、ベース第２位置決孔６９Ｗが貫通形成されていて、第１〜第４の従動回転部材６１，６２，６３，６４が原点位置としての所定の回転位置に配置されると扇形本体部６１Ｈ，６２Ｈ，６３Ｈ，６４Ｈが完全に重なり、全ての従動位置決ピン受容部８０Ｇとベース第２位置決孔６９Ｗとが同軸上に並ぶ。これにより、図１１に示した従動側位置決ピンＰ２を、従動位置決ピン受容部８０Ｇ群とベース第２位置決孔６９Ｗに挿通することで第１〜第４の従動回転部材６１，６２，６３，６４が原点位置に位置決めされる。なお、従動位置決ピン受容部８０Ｇ及びベース第２位置決孔６９Ｗが、本発明に係る「従動側位置決孔」に相当する。
【００８０】
図１１に示すように、第１〜第４の従動回転部材６１，６２，６３，６４は、従動回転支軸７３に対し、第１従動回転部材６１、樹脂ワッシャＷ、第２従動回転部材６２、樹脂ワッシャＷ、第３従動回転部材６３、樹脂ワッシャＷ、第４従動回転部材６４の順番で挿入されて、図７に示すように、第１従動回転部材６１の従動歯車６１Ｇが第１駆動歯車６０Ａと噛合し、第２従動回転部材６２の従動歯車６２Ｇが第２駆動歯車６０Ｂと噛合し、第３従動回転部材６３の従動歯車６３Ｇが第３駆動歯車６０Ｃと噛合し、第４従動回転部材６４の従動歯車６４Ｇが第４駆動歯車６０Ｄと噛合している。詳細には、支持ベース６９のベース第１位置決孔６９Ｖ及び駆動回転部材６０の駆動位置決ピン受容部６０Ｇに駆動側位置決ピンＰ１を嵌合して支持ベース６９の原点位置に位置決めし、支持ベース６９のベース第２位置決孔６９Ｗから従動側位置決ピンＰ２を起立させた状態とし、第１従動回転部材６１のリング部８０を従動回転支軸７３の外側に嵌合しつつ従動位置決ピン受容部８０Ｇに従動側位置決ピンＰ２を挿入する。そして、樹脂ワッシャＷを従動回転支軸７３の外側に嵌合し、次いで、第２従動回転部材６２のリング部８０を従動回転支軸７３の外側に嵌合しつつ従動位置決ピン受容部８０Ｇに従動側位置決ピンＰ２を挿入する。これらと同様に、残りの第３従動回転部材６３と第４従動回転部材６４と樹脂ワッシャＷとを支持ベース６９に組み付ける。これにより、駆動回転部材６０と第１〜第４の従動回転部材６１，６２，６３，６４とが原点位置に位置決めされた状態で支持ベース６９に効率良く組み付けられて、第１〜第４の駆動歯車６０Ａ，６０Ｂ，６０Ｃ，６０Ｄと従動歯車６１Ｇ，６２Ｇ，６３Ｇ，６４Ｇとが噛合する。なお、樹脂ワッシャＷは、ドーナッツ状の円板における表裏の外縁部と内縁部にそれぞれ円環状の突条を備えた構造をなしている。
【００８１】
ここで、第１〜第４の駆動歯車６０Ａ，６０Ｂ，６０Ｃ，６０Ｄの径をＤ１，Ｄ２，Ｄ３，Ｄ４、第１〜第４の従動歯車６１Ｇ，６２Ｇ，６３Ｇ，６４Ｇの径をＤ１１，Ｄ１２，Ｄ１３，Ｄ１４、第１の駆動歯車６０Ａと従動歯車６１Ｇのギヤ比をＧ１、第２の駆動歯車６０Ｂと従動歯車６２Ｇのギヤ比をＧ２、第３の駆動歯車６０Ｃと従動歯車６３Ｇのギヤ比をＧ３、第４の駆動歯車６０Ｄと従動歯車６４Ｇのギヤ比をＧ４、駆動回転支軸７２と従動回転支軸７３の軸間ピッチをＬとすると、以下の式が成立している。
【００８２】
Ｄ１＞Ｄ２＞Ｄ３＞Ｄ４
Ｄ１１＜Ｄ１２＜Ｄ１３＜Ｄ１４
２・Ｌ＝Ｄ１＋Ｄ１１＝Ｄ２＋Ｄ１２＝Ｄ３＋Ｄ１３＝Ｄ４＋Ｄ１４
Ｇ１＝Ｄ１／Ｄ１１
Ｇ２＝Ｄ２／Ｄ１２
Ｇ３＝Ｄ３／Ｄ１３
Ｇ４＝Ｄ４／Ｄ１４
Ｇ１＞Ｇ２＞Ｇ３＞Ｇ４
【００８３】
これにより、モータ５９にて駆動回転部材６０を回転駆動すると、駆動回転部材６０の回転速度にギヤ比Ｇ１を乗じた回転速度で第１従動回転部材６１が従動回転し、駆動回転部材６０の回転速度にギヤ比Ｇ２を乗じた回転速度で第２従動回転部材６２が従動回転し、駆動回転部材６０の回転速度にギヤ比Ｇ３を乗じた回転速度で第３従動回転部材６３が従動回転し、駆動回転部材６０の回転速度にギヤ比Ｇ４を乗じた回転速度で第４従動回転部材６４が従動回転する。つまり、駆動回転部材６０の回転に連動して第１〜第４の従動回転部材６１，６２，６３，６４が異なる速度で回転する。より詳細には、駆動回転部材６０の回転に連動して、第１〜第４の従動回転部材６１，６２，６３，６４の全てが回転すると共に、第４従動回転部材６４より第３従動回転部材６３が速く、第３従動回転部材６３より第２従動回転部材６２が速く、第２従動回転部材６２より第１従動回転部材６１が速く回転して、第１〜第４の従動回転部材６１，６２，６３，６４同士の相対位置が変化する。これにより、図５に示すように、原点位置で完全に重なり合っていた第１〜第４の従動回転部材６１，６２，６３，６４の扇形本体部６１Ｈ，６２Ｈ，６３Ｈ，６４Ｈが互いにずれて展開し、丁度、図６に示すように、閉じていた扇子が徐々に開くような動作の演出を行うことができる。
【００８４】
第１〜第４の従動回転部材６１，６２，６３，６４は、何れも透光樹脂で構成されている。第１従動回転部材６１には、図８に示すように、扇形本体部６１Ｈを、その左側の側縁部から右側の側縁部に向けて半円状に切除して半円孔６１Ｖが形成されている。また、第１従動回転部材６１の扇形本体部６１Ｈには、半円孔６１Ｖの縁部に沿って複数のレンズ部６１Ｒが形成されている。
【００８５】
第２従動回転部材６２には、第１従動回転部材６１の半円孔６１Ｖに対応させて、扇形本体部６２Ｈを、その左側の側縁部から右側の側縁部に向けて切除して湾曲部６２Ｖが形成されている。その湾曲部６２Ｖは、半円孔６１Ｖより奥行きが狭くなっていて、その縁部は不規則な凹凸形状になっている。
【００８６】
図９に示すように、第１と第３の従動回転部材６１，６３は、外縁部から後方に突出した側壁６１Ｓ，６３Ｓを有している。これに対し、第２と第４の従動回転部材６２，６４は平板状をなしている。第１と第３の従動回転部材６１，６３における側壁６１Ｓ，６３Ｓの内側には、図１２に示した略扇形状の透光樹脂シート８２と電飾基板８１とが重ねて収容されている。透光樹脂シート８２は、曇りガラスのように表面に微細な凹凸を有し、電飾基板８１は、前面に複数のＬＥＤ８１Ａを備えている。そして、それらＬＥＤ８１Ａ群の光が透光樹脂シート８２を通して分散し、さらに、第１と第３の従動回転部材６１，６３の扇形本体部６１Ｈ，６３Ｈを通過して遊技者に視認される。また、第１従動回転部材６１においては、ＬＥＤ８１Ａの一部がレンズ部６１Ｒの後方に位置し、レンズ部６１Ｒを通った光が遊技者に視認される。また、第１従動回転部材６１の側壁６１Ｓの内側には、半円孔６１Ｖの両側部分にマグネット６１Ｎが収容されている（図９参照）。
【００８７】
図９に示すように、第１と第３の従動回転部材６１，６３の各リング部８０における内縁部からは、円筒壁８０Ｓが後方に突出している。そして、図１１に示すように、第１と第３の従動回転部材６１，６３には、円筒壁８０Ｓからリング部８０の内側縁部に亘る範囲に電線挿通孔６１Ｄ，６３Ｄが形成されている。そして、第１と第３の従動回転部材６１，６３の各電飾基板８１に通電するための電線が、電線挿通孔６１Ｄ，６３Ｄから従動回転支軸７３の電線挿通孔７３Ａを通して従動回転支軸７３の内側に導入されて支持ベース６９の後方に引き延ばされ、表示機構枠５０の後面に備えた図示しない制御基板に接続されている。これにより、電線が他の第１〜第４の従動回転部材６１，６２，６３，６４の周辺部品に引っ掛かることが防止される。
【００８８】
第１〜第４の従動回転部材６１，６２，６３，６４のうち隣り合った従動回転部材の間、即ち、第１と第２の従動回転部材６１，６２との間、第２と第３の従動回転部材６２，６３との間、第３と第４の従動回転部材６３，６４との間には、それぞれ互いの相対位置を規制するための相対移動規制ストッパ機構が設けられている。具体的には、図８に示すように、第２従動回転部材６２の扇形本体部６２Ｈにおけるリング部８０寄り位置にはストッパ受容孔６２Ｚが貫通形成されている。ストッパ受容孔６２Ｚは、リング部８０と共通の中心を有した扇状をなしている。これに対し、第１従動回転部材６１の扇形本体部６１Ｈにおけるリング部８０寄り位置からは、ストッパ受容孔６２Ｚ内に向けてストッパ突部６１Ｔが突出形成されている。このストッパ突部６１Ｔは突片状をなし、ストッパ受容孔６２Ｚ内を移動して６２Ｚの両内側面に面当接可能となっている。そして、これらストッパ受容孔６２Ｚとストッパ突部６１Ｔとによって第１従動回転部材６１と第２従動回転部材６２との間の相対移動規制ストッパ機構が構成されている。
【００８９】
これと同様に、第２従動回転部材６２に形成されたストッパ突部６２Ｔと第３従動回転部材６３に形成されたストッパ受容孔６３Ｚ（図９参照）とによって第２従動回転部材６２と第３従動回転部材６３との間の相対移動規制ストッパ機構が構成され、第３従動回転部材６３に形成されたストッパ突部６３Ｔと第４従動回転部材６４に形成されたストッパ受容孔６４Ｚとによって第３従動回転部材６３と第４従動回転部材６４との間の相対移動規制ストッパ機構が構成されている。そして、第１〜第４の従動回転部材６１，６２，６３，６４が原点位置からそれぞれ正規の角度まで回動する間では、ストッパ突部６１Ｔ，６２Ｔ，６３Ｔが６２Ｚ，６３Ｚ，６４Ｚの内側面に当接することはなく、例えば、第１〜第４の駆動歯車６０Ａ，６０Ｂ，６０Ｃ，６０Ｄと従動歯車６１Ｇ，６２Ｇ，６３Ｇ，６４Ｇとの何れかの噛合が外れたような不具合発生時に、ストッパ突部６１Ｔ，６２Ｔ，６３Ｔが６２Ｚ，６３Ｚ，６４Ｚの内側面に当接する。これにより、第１〜第４の従動回転部材６１，６２，６３，６４同士の間が大きく分裂する事態を防ぐことができる。また、本実施形態では、相対移動規制ストッパ機構が隣り合った従動回転部材６１，６２，６３，６４の重なり合った部分に配置されているので、遊技者に対して目立ないようにすることができる。
【００９０】
第１〜第４の従動回転部材６１，６２，６３，６４には、組付用マーカー６１Ｍ，６２Ｍ，６３Ｍ，６４Ｍが設けられている。第１従動回転部材６１の組付用マーカー６１Ｍは、扇形本体部６１Ｈの一側縁部から側方に突出した突片に「Ｒ１」と刻印してなり、これと同様に、第２〜第４の従動回転部材６２〜６４の組付用マーカー６２Ｍ〜６４Ｍは、突片に「Ｒ２」，「Ｒ３」，「Ｒ４」と刻印してなる。そして、第１〜第４の従動回転部材６１，６２，６３，６４を原点位置に配置すると、組付用マーカー６１Ｍ，６２Ｍ，６３Ｍ，６４Ｍが順次従動回転支軸７３から離れる側にずれた配置となって、各刻印を一目することができるようになっている（図３参照）。これにより、第１〜第４の従動回転部材６１，６２，６３，６４の組み付け配置の確認作業を容易に行うことができる。
【００９１】
そして、図５〜７に示すように、従動回転部材６１，６２，６３，６４のリング部８０、駆動回転部材６０、ウォームホイール６６及びウォームギヤ６５が、透光樹脂で構成されたカバーベース６８によって上部から覆われるように取り付けられ、従動回転支軸７３、駆動回転支軸７２、中継回転支軸７１の軸部が上部より固定され、各回転部品における回転軸方向の移動を規制している。なお、カバーベース６８には、各回転部品が回動して従動回転部材６１，６２，６３，６４が展開した際に、従動回転部材６１，６２，６３，６４と接触するストッパ部６８Ｓが設けられている。
【００９２】
以上が、図２及び図３における右側の扇子機構役物５７の構成に関する説明である。図２及び図３における左側の扇子機構役物５７は、固定ケース５８の形状が若干異なると共に、各組付用マーカー６１Ｍ，６２Ｍ，６３Ｍ，６４Ｍの刻印が「Ｌ１」，「Ｌ２」，「Ｌ３」，「Ｌ４」になっている点が異なる。
【００９３】
さて、１対の扇子機構役物５７，５７は、図３に示すように扇子の要部分が演出表示窓５３における１対の対角部分に配置され、扇子機構役物５７，５７が閉じたときには、それら扇子機構を構成する第１〜第４の従動回転部材６１，６２，６３，６４が完全に重なり合い、演出表示窓５３の１対の側辺部分に沿って延びた状態となる。この状態で、扇子機構役物５７，５７全体が表示装飾枠４１の後方に隠れる（図１に示す状態）。これにより、表示画面３６を視認することができる。そして、扇子機構役物５７，５７が共に開くと、図４に示すように両扇子機構役物５７，５７の第１従動回転部材６１，６１の側縁部が互いに接合され、半円孔６１Ｖ，６１Ｖから円形孔６１Ｙが構成されるようになっている。このとき、第１従動回転部材６１，６１のマグネット６１Ｎ，６１Ｎが互いに引き付け合って第１従動回転部材６１，６１の間の隙間が小さくなり、接合状態が安定する。これにより、円形孔６１Ｙを通して表示画面３６を見ることができるという斬新な動作の演出を行うことができ、表示画面３６に表示される演出画像と従動回転部材６１，６２，６３，６４の動作とを融合させた演出を行うことができる。
【００９４】
本実施形態の構成に関する説明は以上である。次に、本実施形態の作用効果について説明する。遊技を開始するために操作ノブ２８を回動操作すると遊技球が遊技領域Ｒ１に向かって、順次、打ち込まれ、遊技領域Ｒ１をランダムに流下する。そして、始動入賞口１４Ａ，１４Ｂの何れかに遊技球が入球すると当否判定が行われ、表示画面３６に当否判定の結果を表示するため画像が表示される。そして、例えば、特別図柄が奇数のゾロ目で停止表示した場合に、扇子機構役物５７，５７が起動する。
【００９５】
ここで、扇子機構役物５７，５７は、通常は、折り畳まれた状態になっていて表示装飾枠４１の後方に隠れている。そして、特別図柄が奇数のゾロ目で停止表示するなどの所定の条件が成立すると、両扇子機構役物５７，５７のモータ５９，５９に作動して、駆動回転部材６０，６０を回転駆動する。すると、駆動回転部材６０に備えられた第１〜第４の駆動歯車６０Ａ，６０Ｂ，６０Ｃ，６０Ｄが一体回転して、それら第１〜第４の駆動歯車６０Ａ，６０Ｂ，６０Ｃ，６０Ｄに噛合した第１〜第４の従動歯車６１Ｇ，６２Ｇ，６３Ｇ，６４Ｇを有した第１〜第４の従動回転部材６１，６２，６３，６４が従動回転される。ここで、第１〜第４の駆動歯車６０Ａ，６０Ｂ，６０Ｃ，６０Ｄの径は互いに異なっていて、第１〜第４の順番で従動回転部材６１，６２，６３，６４が速く回転するようになっているので、駆動回転部材６０の回転駆動に伴って、第１〜第４の従動回転部材６１，６２，６３，６４全体の形状が連続的に変化していくという趣向性の高い演出を行うことができる。
【００９６】
さらに、例えば、特別図柄が「７  ７  ７」で停止表示するなど特定の条件が成立した場合には、扇子機構役物５７，５７が同時に駆動して点対称に動作して表示画面３６の前方で合体する。そして、図４に示すように、表示画面３６の前方で両扇子機構役物５７，５７の第１従動回転部材６１，６１の側縁部が互いに接合されて、半円孔６１Ｖ，６１Ｖから円形孔６１Ｙが構成される。そして、円形孔６１Ｙを通して表示画面３６の一部を視認可能な状態になり、今までにはない斬新な演出を提供することができる。
【００９７】
このように、本実施形態のパチンコ遊技機１０によれば、駆動回転部材６０の回転駆動に伴って第１〜第４の従動回転部材６１，６２，６３，６４全体の形状が連続的に変化していくという趣向性の高い演出を行うことができる。また、第１〜第４の従動回転部材６１，６２，６３，６４を駆動するための駆動手段（モータ５９）は１つでよいのでコストも抑えられる。また、第１〜第４の従動回転部材６１，６２，６３，６４と支持ベース６９のそれぞれに形成された従動位置決ピン受容部８０Ｇ、ベース第２位置決孔６９Ｗの全てに従動側位置決ピンＰ２を挿入することで、第１〜第４の従動回転部材６１，６２，６３，６４を支持ベース６９に対する原点位置に位置合わせすることができる。即ち、従動側位置決ピンＰ２の挿入操作のみで、第１〜第４の従動回転部材６１，６２，６３，６４を設計通りの相対位置に位置決めした状態に容易に組み付けることができる。
【００９８】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記実施形態では、パチンコ遊技機に本発明を適用していたが、遊技機であれば、コイン遊技機やスロットマシン等に適用してもよい。
【００９９】
（２）前記実施形態では、従動回転部材６１，６２，６３，６４の本体部を扇形状で構成していたが、長方形状や、円盤状にしてもよいし、棒状にして先端にキャラクタの飾りをつけるなどしてもよい。
【０１００】
（３）前記実施形態では、従動回転部材を４つで構成していたが、２つ或いは３つで構成してもよいし、５つ以上で構成してもよい。
【０１０１】
（４）前記実施形態では、１対の扇子機構役物５７，５７が共に開いて従動回転部材６１，６１の側縁部が互いに接合されたときに、円形孔６１Ｙが構成されるようになっていたが、例えば３つの扇子機構役物によって円形孔を構成してもよいし、円形に限られず、ハート形状等が構成されるようにしてもよいし、従動回転部材全体でキャラクタ形状が構成されるようにしてもよい。
【０１０２】
（５）前記実施形態では、駆動歯車６０Ａ，６０Ｂ，６０Ｃ，６０Ｄの噛合対象が歯車（従動歯車６１Ｇ，６２Ｇ，６３Ｇ，６４Ｇ）であったが、ラックであってもよい。具体的には、図１３及び図１４に示す本発明に係る構成では、駆動回転部材９０に径の異なる円形の平歯車として駆動歯車９０Ａ，９０Ｂ，９０Ｃ，９０Ｄを設け、平板状の棒の一端から縦長の板部材が垂れ下がった形状をした従動直動部材９１，９２，９３，９４の上部に歯切りをして従動ラック９１Ｇ，９２Ｇ，９３Ｇ，９４Ｇを備えている。そして、従動直動部材９１の従動ラック９１Ｇが第１駆動歯車６０Ａと噛合し、従動直動部材９２の従動ラック９２Ｇが第２駆動歯車６０Ｂと噛合し、従動直動部材９３の従動ラック９３Ｇが第３駆動歯車６０Ｃと噛合し、従動直動部材９４の従動ラック９４Ｇが第４駆動歯車６０Ｄと噛合している。この構成によれば、駆動回転部材９０が回転駆動すると、駆動歯車９０Ａ，９０Ｂ，９０Ｃ，９０Ｄの径が互いに異なっているので、従動直動部材９１，９２，９３，９４の順番の速さで水平方向に移動し、従動直動部材９１，９２，９３，９４全体の形状が、カーテンが閉じるように連続的に変化していく（図１４（Ａ）から図１４（Ｂ）に示す状態）という趣向性の高い演出を行うことができる。なお、駆動回転部材９０には、駆動位置決ピン受容部６０Ｈ及び支持孔９０Ｐが形成され、従動直動部材９１，９２，９３，９４の角部側方には、図１３及び図１４（Ａ）に示すように、従動直動部材９１，９２，９３，９４の縦長の板部材を完全に重ね合わせた状態で、同軸上に並ぶ位置に従動位置決ピン受容部８０Ｈが貫通形形成されている。これにより、支持孔９０Ｐに駆動回転支軸７２が挿通され、駆動側位置決ピンＰ１を駆動位置決ピン受容部６０Ｈに挿通することで、駆動回転部材９０を設計通りの相対位置に位置決めした状態に容易に組み付けることができ、従動側位置決ピンＰ２を従動位置決ピン受容部８０Ｈ群に挿通することで従動直動部材９１，９２，９３，９４を設計通りの相対位置に位置決めした状態に容易に組み付けることができる。
【符号の説明】
【０１０３】
１０    パチンコ遊技機
１１    遊技板
１２    ガイドレール
３５    メイン表示器（表示器）
３６    表示画面
４０    表示枠体
４１    表示装飾枠
５０    表示機構枠（ベース部材）
５３    演出表示窓
５７    扇子機構役物（扇子機構）
５９    モータ（駆動手段）
６０，９０    駆動回転部材
６０Ａ，６０Ｂ，６０Ｃ，６０Ｄ，９０Ａ，９０Ｂ，９０Ｃ，９０Ｄ    駆動歯車
６０Ｇ，６０Ｈ    駆動位置決ピン受容部（駆動側位置決孔）
６１，６２，６３，６４    従動回転部材
６１Ｇ，６２Ｇ，６３Ｇ，６４Ｇ    従動歯車
６１Ｈ，６２Ｈ，６３Ｈ，６４Ｈ    扇形本体部
６１Ｍ，６２Ｍ，６３Ｍ，６４Ｍ    組付用マーカー
６１Ｎ    マグネット
６１Ｔ，６２Ｔ，６３Ｔ    ストッパ突部
６１Ｖ    半円孔
６１Ｙ    円形孔
６２Ｚ．６３Ｚ，６４Ｚ    ストッパ受容孔
６５    ウォームギヤ
６６    ウォームホイール
６８    カバーベース
６９    支持ベース
６９Ｖ    ベース第１位置決孔（駆動側位置決孔）
６９Ｗ    ベース第２位置決孔（従動側位置決孔）
７１    中継回転支軸
７２    駆動回転支軸（第１回転軸）
７３    従動回転支軸（第２回転軸，固定支柱）
７３Ａ    電線挿通孔（側面貫通孔）
８０    リング部（回転軸孔）
８０Ｇ，８０Ｈ    従動位置決ピン受容部（従動側位置決孔）
９１，９２，９３，９４    従動直動部材
９１Ｇ，９２Ｇ，９３Ｇ，９４Ｇ    従動ラック
Ｐ１    駆動側位置決ピン
Ｐ２    従動側位置決ピン
Ｒ１    遊技領域
Ｗ    樹脂ワッシャ
【図１】
2012024234.tif 000003
【図２】
2012024234.tif 000004
【図３】
2012024234.tif 000005
【図４】
2012024234.tif 000006
【図５】
2012024234.tif 000007
【図６】
2012024234.tif 000008
【図７】
2012024234.tif 000009
【図８】
2012024234.tif 000010
【図９】
2012024234.tif 000011
【図１０】
2012024234.tif 000012
【図１１】
2012024234.tif 000013
【図１２】
2012024234.tif 000014
【図１３】
2012024234.tif 000015
【図１４】
2012024234.tif 000016